【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
肩関節形成術中に上腕骨内でステム付き上腕骨構成要素または上腕骨仮ステムを位置決めするためのフィンクランプにおいて、
上腕骨の近位端と、前記ステム付き上腕骨構成要素または前記上腕骨仮ステムのカラーの遠位側との間に着座されるように形成されたヘッドであって、前記上腕骨の近位端を前記カラーの遠位側から所定距離だけ分離するヘッドと、
前記ヘッドに接続されたアームと、
を具備する、フィンクランプ。
【請求項２】
前記ヘッドは、前記フィンクランプを前記ステム付き上腕骨構成要素または前記上腕骨仮ステムに取付けるための取付け装置を有する、請求項１に記載のフィンクランプ。
【請求項３】
前記取付け装置は、前記ステム付き上腕骨構成要素のステムから、あるいは、前記上腕骨仮ステムのステムから径方向外側に延在するフィンに前記フィンクランプを取付ける、請求項２に記載のフィンクランプ。
【請求項４】
前記取付け装置は、前記ヘッド内に形成された少なくとも１つのネジ付き穴と、前記ネジ付き穴に適合するように形成された少なくとも１つの止めネジとを有する、請求項２に記載のフィンクランプ。
【請求項５】
前記取付け装置は、前記ヘッド内に形成された１対のネジ付き穴と、前記ネジ付き穴の両方に適合するように形成された少なくとも１つの止めネジとを有し、一つのネジ付き穴が前記アームの各側に配置される、請求項２に記載のフィンクランプ。
【請求項６】
前記ヘッドは、該ヘッドを通して延在する複数の開口部を有し、該開口部は、前記上腕骨仮ステムまたは前記ステム付き上腕骨構成要素の後傾を測定するように意図された複数のバージョンピンを受容するために形成かつ配置される、請求項１に記載のフィンクランプ。
【請求項７】
前記ヘッドは、上腕骨に対して第１の位置に配向された場合に第１の所定距離だけ、また上腕骨に対して第２の位置に配向された場合に第２の所定距離だけ、前記上腕骨の近位端を前記カラーの遠位側から分離するように形成かつ配置され、前記第１の所定距離は前記第２の所定距離と異なる、請求項１に記載のフィンクランプ。
【請求項８】
前記第１の位置にて、左上腕骨に使用するための前記第１の所定距離を付与し、前記第２の位置にて、右上腕骨に使用するための前記第２の所定距離を付与する、請求項７に記載のフィンクランプ。
【請求項９】
前記ヘッド内に形成されたチャネルを更に備え、該チャネルは、前記ステム付き上腕骨構成要素のステムから、または前記上腕骨仮ステムのステムから径方向外側に延在するフィンを包むように形成かつ配置され、
前記チャネルの長さ方向に対し垂直の線と前記アームの中心軸線との間の角度が約５５度である、請求項１に記載のフィンクランプ。
【請求項１０】
肩関節形成術中に上腕骨内でステム付き上腕骨構成要素または上腕骨仮ステムを位置決めするためのフィンクランプのシステムにおいて、
前記システムは、複数のフィンクランプを有し、
各前記フィンクランプは、
上腕骨の近位端と、前記ステム付き上腕骨構成要素または前記上腕骨仮ステムのカラーの遠位側との間に着座されるように形成されるヘッドであって、前記上腕骨の近位端を前記カラーの遠位側から所定距離だけ分離するヘッドと、
前記ヘッドに接続されたアームと、
を有する、システム。
【請求項１１】
前記複数のフィンクランプの各々が、右上腕骨と左上腕骨の両方に使用するために形成かつ配置される、請求項１０に記載のフィンクランプのシステム。
【請求項１２】
前記複数のフィンクランプの第１のフィンクランプは、第１の所定距離だけ右上腕骨の近位端を前記カラーの遠位側から分離し、また第２の所定距離だけ左上腕骨の近位端を前記カラーの遠位側から分離するように形成かつ配置され、
複数の前記フィンクランプの第２のフィンクランプは、前記第２の所定距離だけ前記右上腕骨の近位端を前記カラーの遠位側から分離し、また前記第１の所定距離だけ前記左上腕骨の近位端を前記カラーの遠位側から分離するように形成かつ配置され、
前記第１の所定距離は前記第２の所定距離と異なる、請求項１１に記載のフィンクランプのシステム。
【請求項１３】
前記複数のフィンクランプの第３のフィンクランプは、第３の所定距離だけ前記右上腕骨または左上腕骨の近位端を前記カラーの遠位側から分離するように形成かつ配置され、前記第３の所定距離は、前記第１の所定距離および前記第２の所定距離の両方と異なる、請求項１２に記載のフィンクランプのシステム。
【請求項１４】
前記複数のフィンクランプの第１のフィンクランプは、第１の所定距離だけ上腕骨の近位端を前記カラーの遠位側から分離するように形成かつ配置され、
前記複数のフィンクランプの第２のフィンクランプは、前記第１の所定距離と異なる第２の所定距離だけ前記上腕骨の近位端を前記カラーの遠位側から分離するように形成かつ配置される、請求項１０に記載のフィンクランプのシステム。
【請求項１５】
肩関節形成術中に使用される上腕骨仮ステムのシステムにおいて、
ステムを各々が有する複数の上腕骨仮ステムと、
上腕骨の近位部分内に位置する管内に協働する前記上腕骨仮ステムを確実に着座させることを助力する、各前記上腕骨仮ステムのステムに適合するように形成された少なくとも１つのスリーブと、
を有する、システム。
【請求項１６】
前記少なくとも１つのスリーブが複数のスリーブを含む、請求項１５に記載のシステム。
【請求項１７】
前記複数のスリーブが、異なるサイズの複数の仮構成要素に対応するスリーブを含み、また異なるサイズのスリーブの合計数が、異なるサイズの上腕骨仮ステムの合計数よりも少ない、請求項１６に記載のシステム。
【請求項１８】
前記少なくとも１つのスリーブは、発泡体からなる、請求項１５に記載のシステム。
【請求項１９】
前記スリーブおよび前記上腕骨仮ステムが、前記上腕骨仮ステムを前記管から取り除く間に分離された場合、前記少なくとも１つのスリーブは、前記管からの前記スリーブの取り除きを容易にするために、前記スリーブに取付けられ且つ前記スリーブの一方の端部から延在するテザーを有する、請求項１５に記載のシステム。
【請求項２０】
前記少なくとも１つのスリーブが、前記スリーブの内周に少なくとも１つの軸方向スリットを有する、請求項１５に記載のシステム。
【請求項２１】
肩関節形成術中に上腕骨内でステム付き上腕骨構成要素または上腕骨仮ステムを位置決めする際に使用するためのルーラにおいて、
ゼロ点からの距離を示す増分マークを有するスケールと、
肩関節形成術中に上腕骨内でステム付き上腕骨構成要素または上腕骨仮ステムを位置決めするために使用される他の装置に前記ルーラを固定するための固定アセンブリと、
を有する、ルーラ。
【請求項２２】
前記固定アセンブリを有する端部と反対側の前記ルーラの端部に、開放端部を有する細長い穴を更に有する、請求項２１に記載のルーラ。
【請求項２３】
前記固定アセンブリは止めネジを有する、請求項２１に記載のルーラ。
【請求項２４】
固定ピンと、仮プロテーゼの配向をマークして最終プロテーゼ用の適切な配向を複製するために、前記固定ピンを骨内に挿入するために使用されるドライバとを有するシステムにおいて、
当該固定ピンの第１の端部の近くのネジ部と、当該固定ピンの第２の端部の近くの非円形断面の部分とを有する固定ピンと、
第１の端部部分と第２の端部部分とを有するドライバであって、前記第１の端部部分が、前記固定ピンの非円形断面に対応する非円形断面の部分を有する軸方向に延在する開口部を有するドライバと、
を有する、システム。
【請求項２５】
前記ドライバ内の前記開口部の前記非円形断面部分が、該開口部の円断面部分によって前記ドライバの第１の端部部分から分離される、請求項２４に記載のシステム。
【請求項２６】
前記ドライバ内の前記開口部の前記円断面部分内に形成されたチャネルと、
前記チャネル内に着座されたＣリングとを更に有する、請求項２５に記載のシステム。
【請求項２７】
前記ドライバの前記第２の端部部分は、ドリルに接続されるように形成かつ配置される、請求項２４に記載のシステム。
【請求項２８】
前記ドライバの前記第２の端部部分は、手動による回転を容易にするためのＴハンドルに接続されるように形成かつ配置される、請求項２４に記載のシステム。
【請求項２９】
前記ドライバの前記第２の端部部分は、ドリルに接続されるように形成かつ配置され、且つ、手動による回転を容易にするためのＴハンドルに接続されるように形成かつ配置される、請求項２４に記載のシステム。